(57)【要約】【課題】放射線検出用カセッテにおいて、撮影前に放射線科情報システムの端末等の情報管理端末に接続する必要を無くし、オーダー情報入力済みであるか等を容易に判別可能とする。【解決手段】放射線固体検出器１１と、この放射線固体検出器１１から出力された画像信号、およびオーダー情報を記憶するメモリ１２と、接続端子１３と、撮影のオーダー情報を音声により入力するためのオーダー情報入力手段１４と、モニタ等からなるオーダー情報出力手段１５とをケース１６内に収容して放射線検出用カセッテ１０を構成する。オーダー情報が入力されたら、その内容をモニタに表示する。【選択図】          図１
2004164451.tif 000002
【特許請求の範囲】
【請求項１】
画像情報を担持する放射線の照射を受けて前記画像情報を記録し、記録した前記画像情報を表す画像信号を出力する放射線固体検出器、および、該放射線固体検出器を収容する筐体を備えた放射線検出用カセッテにおいて、
撮影のオーダー情報を入力するためのオーダー情報入力手段と、
該オーダー情報入力手段より入力されたオーダー情報を保存するメモリと、
前記入力されたオーダー情報を出力するオーダー情報出力手段とを備えたことを特徴とする放射線検出用カセッテ。
【請求項２】
前記オーダー情報入力手段が、ユーザーの音声をオーダー情報として入力するものであることを特徴とする請求項１記載の放射線検出用カセッテ。
【発明の詳細な説明】
【０００１】
【発明の属する技術分野】
本発明は、筐体内に放射線固体検出器を収容した放射線検出用カセッテに関するものである。
【０００２】
【従来の技術】
今日、医療診断等を目的とする放射線撮影において、被写体を透過した放射線を検出して被写体に関する放射線画像を表す画像信号を出力する放射線固体検出器（半導体を主要部とするもの；以下単に検出器ともいう）が各種提案、実用化されており（特許文献１、特許文献２等）、これらの放射線固体検出器と該検出器から出力された画像信号を記憶する記憶手段としての画像メモリとをケースに収容した放射線検出用カセッテも種々提案されている（特許文献３、特許文献４等）。
【０００３】
また、近年では、上記の様な放射線検出用カセッテを用いた画像情報管理システムが実用化されている。この画像情報管理システムは、特に放射線画像の撮影室が複数あるような大規模な病院等で用いられているシステムであって、病院内で行われる放射線画像撮影のオーダー情報（患者情報、撮影部位情報等の放射線画像撮影の内容を示す情報）を放射線科情報システム（ＲＩＳ：Ｒａｄｉｏｌｏｇｉｃａｌ  Ｉｎｆｏｒｍａｔｉｏｎ  Ｓｙｓｔｅｍ  ）等を用いて一元的に管理することにより、病院内の放射線画像撮影の設備の運用を効率よく行うためのものである。
【０００４】
このシステムの一例としては、まず、病院内で行われる放射線画像撮影の内容、即ち撮影のオーダー情報を放射線科情報システムに登録させ、次いで、筐体外面にバーコードが付与された放射線検出用カセッテを放射線科情報システムの端末に接続させて、該放射線科情報システムに登録した前記オーダー情報を放射線検出用カセッテ内のメモリに記憶させるとともに、この端末で放射線検出用カセッテのバーコードを読み取り、放射線科情報システム側では放射線検出用カセッテのバーコードとオーダー情報とを関連付けて管理し、その後、オーダー情報が記憶された放射線検出用カセッテを撮影室に搬入させ、この放射線検出用カセッテに対して、オーダー情報に対応した患者の撮影部位の撮影を行った後、放射線検出用カセッテを専用の画像読取器に装填させて、カセッテ内の記憶手段に記憶されているオーダー情報および画像信号を読み出させ、このオーダー情報および画像信号を医用画像情報ネットワーク（ＰＡＣＳ：Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ  ）等に登録させるシステムが考えられる。
【０００５】
【特許文献１】
特開２０００−１０５２９７号公報
【０００６】
【特許文献２】
特開２０００−２８４０５６号公報
【０００７】
【特許文献３】
米国特許第５６６１３０９号明細書
【０００８】
【特許文献４】
特開平０７−１４０２５５号公報
【０００９】
【発明が解決しようとする課題】
しかしながら、このようなシステムでは、撮影を行う前に必ず放射線検出用カセッテを放射線科情報システムの端末に接続して上述のＩＤ登録を行うことにより該放射線検出用カセッテにオーダー情報を入力する必要があるため、緊急の場合でも即座に撮影を行えないという問題があった。
【００１０】
また、放射線検出用カセッテの外面にはバーコードしか付与されていないため、カセッテのみが放置されていた場合には、そのカセッテにオーダー情報が入力されているのか、また、どの患者の画像が撮影されるものであるのか、あるいは、どの患者の画像が撮影されているのか等が判別できなくなってしまうという問題があった。
【００１１】
本発明は上記問題に鑑みてなされたものであり、撮影前に放射線科情報システムの端末等の情報管理端末に接続する必要がなく、オーダー情報入力済みであるか等が容易に判別可能な放射線検出用カセッテを提供することを目的とするものである。
【００１２】
【課題を解決するための手段】
本発明による放射線検出用カセッテは、画像情報を担持する放射線の照射を受けて画像情報を記録し、記録した画像情報を表す画像信号を出力する放射線固体検出器、および、放射線固体検出器を収容する筐体を備えた放射線検出用カセッテにおいて、撮影のオーダー情報を入力するためのオーダー情報入力手段と、オーダー情報入力手段より入力されたオーダー情報を保存するメモリと、入力されたオーダー情報を出力するオーダー情報出力手段とを備えたことを特徴とするものである。
【００１３】
上記において「放射線固体検出器」とは、被写体の画像情報を担持する放射線を検出して被写体に関する放射線画像を表す画像信号を出力する検出器であって、入射した放射線を直接または一旦光に変換した後に電荷に変換し、この電荷を一旦蓄電部に蓄積し、その後、この電荷を外部に出力させることにより、被写体に関する放射線画像を表す画像信号を得ることができるものである。
【００１４】
この放射線固体検出器には種々の方式のものがあり、例えば、放射線を電荷に変換する電荷生成プロセスの面からは、放射線が照射されることにより蛍光体から発せられた蛍光を光電変換素子で検出して得た信号電荷を光電変換素子の蓄電部に一旦蓄積し、蓄積電荷を画像信号（電気信号）に変換して出力する光変換方式の放射線固体検出器、あるいは、放射線が照射されることにより放射線導電体内で発生した信号電荷を電荷収集電極で集めて蓄電部に一旦蓄積し、蓄積電荷を電気信号に変換して出力する直接変換方式の放射線固体検出器等、あるいは、蓄積された電荷を外部に読み出す電荷読出プロセスの面からは、蓄電部と接続されたＴＦＴ（薄膜トランジスタ）を走査駆動して読み出すＴＦＴ読出方式のものや、読取光（読取用の電磁波）を検出器に照射して読み出す光読出方式のもの等、さらには、前記直接変換方式と光読出方式を組み合わせた本願出願人による上記特許文献１や上記特許文献２において提案している改良型直接変換方式のもの等がある。本発明による放射線検出用カセッテは、検出器の方式を問わず、何れの方式のものをケース内に収容したものであってもよい。
【００１５】
本発明による放射線検出用カセッテにおいて、オーダー情報入力手段は、ユーザーの音声をオーダー情報として入力するものであることが好ましい。
【００１６】
なお、本発明において「オーダー情報」とは、患者を特定する情報、患者の撮影部位を特定する情報、撮影に用いる装置を特定する情報等を意味する。なお、上記のいずれか１つの情報であってもよいし、任意の組合せであってもよい。
【００１７】
【発明の効果】
本発明による放射線検出用カセッテは、撮影のオーダー情報を入力するためのオーダー情報入力手段と、オーダー情報入力手段より入力されたオーダー情報を保存するメモリと、入力されたオーダー情報を出力するオーダー情報出力手段とを設けたことにより、カセッテ単体でオーダー情報を入力することが可能であるため、撮影前に放射線科情報システムの端末等の情報管理端末に接続する必要がなくなり、また、カセッテ単体でカセッテ内に保存されたオーダー情報を出力して確認することが可能であるため、オーダー情報入力済みであるかが容易に判別可能となり、さらに、オーダー情報の内容も即座に判るようになるため、放射線検出用カセッテの利便性を向上させることができる。
【００１８】
【発明の実施の形態】
以下、図面を参照して本発明の実施の形態について詳細に説明する。図１は本発明の一実施の形態による放射線検出用カセッテのブロック図である。
【００１９】
放射線検出用カセッテ１０は、画像情報を担持する放射線を検出して放射線画像を表す画像信号を出力する放射線固体検出器１１と、この放射線固体検出器１１から出力された画像信号、およびオーダー情報を記憶するメモリ１２と、このメモリ１２に記憶されている画像信号を専用の画像読取器に伝送するための接続端子１３と、撮影のオーダー情報を入力するためのオーダー情報入力手段１４と、オーダー情報を出力するオーダー情報出力手段１５とをケース（筐体）１６内に収容してなるものである。
【００２０】
オーダー情報入力手段１４は、ユーザーの音声をオーダー情報として入力するものであって、マイクと音声認識手段とから構成されている。ユーザーの音声によるオーダー情報の入力は、例えばＤＩＣＯＭ（  Ｄｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｎｅ  ）等のフォーマットに対応させて、「患者」、「検査」、「装置」のキーワードの情報を入力させる場合、「患者、○○。」、「検査、△△。」、「装置、□□。」というように、キーワードとそのキーワードに対応する情報とを組み合わせて発声させればよい。音声認識手段は、キーワードを認識し、その後に続く音声情報をキーワードと対応させてデータに変換してメモリ１２に出力する。併せて、入力された音声を、例えばＷＡＶＥフォーマット等の音声ファイルにそのまま変換し、その音声ファイルをメモリ１２に出力する。
【００２１】
オーダー情報出力手段１５は、モニタとスピーカーとボタンと制御手段とから構成されている。制御手段は、メモリ１２にオーダー情報が記憶されている場合にモニタにオーダー情報が入力済みであることを表示させ、併せてオーダー情報の内容を表示させる。また、ユーザーがボタンを押下した場合、メモリ１２に記憶されている音声ファイルをスピーカーから再生し、オーダー情報の内容を音声で知らせる。
【００２２】
次に、上記放射線検出用カセッテ１０の作用について説明する。
【００２３】
放射線画像の撮影を行う技師等のユーザーにより、放射線画像情報記録装置が設置された撮影室に放射線検出用カセッテ１０が搬入され、撮影を行う位置にセットされた後、ユーザーにより記録装置の放射線源が駆動されてこの放射線源から放射線が照射され、この放射線が被写体を透過して放射線検出用カセッテ１０内の放射線固体検出器１１に入射することにより被写体の画像情報が静電潜像として記録される。放射線固体検出器１１は、記録された潜像電荷の読取りを行って画像信号を検出してメモリ１２に出力する。
【００２４】
撮影が終了した後、ユーザーは放射線検出用カセッテ１０を専用の画像読取器に装填し、メモリ１２に記憶されている画像信号とオーダー情報とを関連付けて接続端子１３から画像読取器に出力する。このとき、音声ファイルも合わせて出力して、管理保管するようにしてもよい。
【００２５】
上記のように構成された放射線検出用カセッテ１０によれば、カセッテ単体でオーダー情報を入力することが可能であるため、撮影前に放射線科情報システムの端末等の情報管理端末に接続する必要がなくなり、また、カセッテ内に保存されたオーダー情報をモニタに表示したり、入力された音声の内容を再生することが可能であるため、オーダー情報入力済みであるかが容易に判別可能となり、さらに、オーダー情報の内容も即座に判るようになるため、放射線検出用カセッテの利便性を向上させることができる。
【００２６】
以上、本発明による放射線検出用カセッテの好適な実施の形態について説明したが、本発明は上記実施の形態に限定されるものではなく、発明の要旨を変更しない限りにおいて、種々変更することが可能である。
【００２７】
例えば、オーダー情報入力手段は、音声による入力のみに限らず、放射線科情報システムの端末等の情報管理端末からの入力も可能なことが望ましい。その場合、オーダー情報出力手段は、情報管理端末から入力されたオーダー情報の内容（文字データ）を音声ファイルに変換して再生可能であることが望ましい。
【図面の簡単な説明】
【図１】本発明の一実施の形態による放射線検出用カセッテのブロック図
【符号の説明】
１０    放射線検出用カセッテ
１１    放射線固体検出器
１２    メモリ
１３    接続端子
１４    オーダー情報入力手段
１５    オーダー情報出力手段
１６    ケース
【図１】
2004164451.tif 000003